(57)【要約】      （修正有）【課題】吸管に振動や長さ方向の脈動が生じても、吸管の曲がり部分の折れ曲がり防止を維持することができる吸管用枕木を提供する。【解決手段】長さ方向に沿って円弧状に湾曲する枕木本体１２の上面側に吸管が納まる断面弧状の凹溝１３が長さ方向に沿って設けられ、この枕木本体１２の凹溝１３に納まる吸管をバンド１４で固定し、吸管に上下の曲がりが発生する部分に、この吸管の曲がり部分の内側を支持するように配置する吸管用枕木１１であって、前記枕木本体１２の下面側に、滑り止め用のストッパー溝１５が枕木本体１２の幅方向に沿って設けてある。【選択図】図１
0003145675.tif 000002
【実用新案登録請求の範囲】
【請求項１】
長さ方向に沿って円弧状に湾曲する枕木本体の円弧の外径となる上面側に吸管が納まる断面弧状の凹溝が長さ方向に沿って設けられ、前記枕木本体に、凹溝に納まる吸管をこの枕木本体と着脱自在に固定するためのバンドが取付けられ、吸管に上下の曲がりが発生する部分に、この吸管の曲がり部分の内側を支持するように配置する吸管用枕木において、
前記枕木本体の長さ方向に沿う湾曲の内径となる下面側に、滑り止め用のストッパー溝を枕木本体の幅方向に沿って設けたことを特徴とする吸管用枕木。
【請求項２】
上記ストッパー溝が、枕木本体の長さ方向の中心から長さ方向に沿って両端寄りに等しい距離を離れた二箇所の位置に設けられていることを特徴とする請求項１に記載の吸管用枕木。
【請求項３】
上記ストッパー溝が、下部広がりの台形に形成されていることを特徴とする請求項１又は２に記載の吸管用枕木。
【考案の詳細な説明】
【技術分野】
【０００１】
この考案は、消防用吸管の曲がりが発生する部分に、この吸管の曲がり部分の内側を支持するように配置する吸管用枕木に関する。
【背景技術】
【０００２】
図２のこの考案の使用例で示すように、消防車１のポンプに接続した吸管２のストレーナー３が取付けられた先端を、例えば、池や川、貯水池、プール等の水源に浸漬させて、消火水を吸引する場合、地面と水源の間にある上下の段差部分で吸管に曲がりが生じると、段差のコーナ（ａ）で吸管２の曲がり部分が扁平に変形して折れ曲がり、吸管２による吸水不能の状態が発生する。
【０００３】
このため、吸管２に上下の段差部分で発生する曲がり部分の内側に吸管用枕木を配置してバンドで固定し、この吸管用枕木を地面と水源の間にある上下段差部分のコーナ（ａ）に当てがい、吸管２を弧状に誘導することで、吸管の曲がり部分が扁平に変形して折れ曲がるのを防止するようにしている。
【０００４】
従来の吸管用枕木は、長さ方向に沿って円弧状に湾曲する枕木本体の形成に硬質樹脂や木材を用い、この枕木本体の円弧の外径となる上面側に吸管が納まる断面円弧状の凹溝を長さ方向に沿って設け、前記枕木本体に、凹溝に納まる吸管をこの枕木本体と着脱自在に固定するためのバンドが取付けられた構造になっている。
【考案の開示】
【考案が解決しようとする課題】
【０００５】
ところで、従来の吸管用枕木は、枕木本体の長さ方向に沿う湾曲の内径となる下面側が平滑な湾曲面に形成されているため、地面と水源の間にある上下段差部分のコーナに当てがった場合、コーナに対する下面側の係止機能が全くなく、吸管に振動や長さ方向の脈動が生じてこれが吸管用枕木に伝わると、吸管用枕木が上下に移動してコーナから外れるという問題があり、吸管用枕木がコーナから外れると吸管の曲がり部分の折れ曲がり防止を維持することができないことになる。
【０００６】
そこで、この考案の課題は、枕木本体を地面と水源の間にある上下段差部分のコーナに対して上下に移動しないように係止することができ、吸管に振動や長さ方向の脈動が生じても、吸管の曲がり部分の折れ曲がり防止を維持することができる吸管用枕木を提供することにある。
【課題を解決するための手段】
【０００７】
上記の課題を解決するため、この考案は、長さ方向に沿って円弧状に湾曲する枕木本体の円弧の外径となる上面側に吸管が納まる断面弧状の凹溝が長さ方向に沿って設けられ、前記枕木本体に、凹溝に納まる吸管をこの枕木本体と着脱自在に固定するためのバンドが取付けられ、吸管に上下の曲がりが発生する部分に、この吸管の曲がり部分の内側を支持するように配置する吸管用枕木において、前記枕木本体の長さ方向に沿う湾曲の内径となる下面側に、滑り止め用のストッパー溝を枕木本体の幅方向に沿って設けた構成を採用したものである。
【０００８】
上記ストッパー溝が、枕木本体の長さ方向の中心から長さ方向に沿って両端寄りに等しい距離を離れた二箇所の位置に設けられているようにしたり、上記ストッパー溝が、下部広がりの台形に形成されている構造とすることができる。
【０００９】
ここで、上記枕木本体は、硬質樹脂や木材を用いて形成され、長さ方向に沿う湾曲の内径となる下面は、全体の軽量化を図るため、周枠で囲まれた凹入面に長さ方向に沿う複数のリブを設けた構造になり、上記ストッパー溝は、周枠とリブのそれぞれに対して、枕木本体の幅方向に一列に並ぶように設けられている。
【考案の効果】
【００１０】
この考案によると、枕木本体の長さ方向に沿う湾曲の内径となる下面側に、滑り止め用のストッパー溝を枕木本体の幅方向に沿って設けたので、吸管に上下の段差部分で発生する曲がり部分の内側に吸管用枕木を配置してバンドで固定し、この吸管用枕木を地面と水源の間にある上下段差部分のコーナに当てがい、吸管を弧状に誘導する場合、地面と水源の間にある上下段差部分のコーナにストッパー溝を係止させることにより、枕木本体を上下に移動しないように固定することができ、吸管に振動や長さ方向の脈動が生じても枕木本体が上下に移動してコーナから外れるようなことがなくなり、吸管の曲がり部分が扁平に変形して折れ曲がるのを防止することができ、吸管による吸水を維持できる。
【００１１】
また、ストッパー溝を枕木本体の長さ方向の両側に設けることで、枕木本体の上下方向の配置時における方向性がなくなり、緊急時の使い勝手がよくなる。
【００１２】
更に、ストッパー溝を下部広がりの台形とすることにより、下面の開口幅が広くなり、地面と水源の間にある上下段差部分のコーナに対して、ストッパー溝の係止操作が容易になる。
【考案を実施するための最良の形態】
【００１３】
以下、この考案の実施の形態を図示例に基づいて説明する。
【００１４】
図１のように、この考案の吸管用枕木１１は、硬質樹脂や木材を用いた枕木本体１２が、長さ方向に沿って円弧状に湾曲するように形成され、この枕木本体１２の円弧の外径となる上面側に吸管２が納まる断面略半円の円弧状となる凹溝１３が長さ方向に沿って設けられ、前記枕木本体１２に、凹溝１３に納まる吸管２をこの枕木本体１２と着脱自在に固定するためのバンド１４が取付けられている。
【００１５】
上記枕木本体１２の長さ方向に沿う湾曲の内径となる下面側に、滑り止め用のストッパー溝１５が枕木本体１２の幅方向に沿って設けられている。
【００１６】
このストッパー溝１５は、枕木本体１２の長さ方向の中心から長さ方向に沿って両端寄りに等しい距離を離れた二箇所の位置に設けられていると共に、下部広がりの台形に形成されている。なお、ストッパー溝１５は、長さ方向の中心部一箇所にだけ設けるようにしてもよい。
【００１７】
図示の場合、枕木本体１２の長さ方向に沿う湾曲の内径となる下面は、全体の軽量化を図るため、周枠１６で囲まれた凹入面に長さ方向に沿う複数のリブ１７を設けた構造になっており、上記ストッパー溝１５は、周枠１６とリブ１７のそれぞれに対して、枕木本体１２の幅方向に一列に並ぶように設けられている。
【００１８】
また、枕木本体１２に取付けたバンド１４は、図示の場合、枕木本体１２の一方側面の両端寄りの位置にそれぞれ一端を固定したバンド帯１８の先端を環１９で互いに結合し、この環１９に取付けた操作帯２０に係止環２１を設けると共に、枕木本体１２の他方側面の中央位置に係止環２１を引掛けるフック金具２２を固定し、凹溝１３に吸管２を嵌め込んだ状態で、吸管２の上にバンド帯１８を重ね、係止環２１をフック金具２２に係止することにより、吸管２をこの枕木本体１２と着脱自在に固定する構造を示したが、このような構造に限定されるものではなく、例えば、枕木本体１２の両側の側面に固定したバンド帯を互いに結合するようなものでもよい。
【００１９】
この考案の吸管用枕木は、上記のような構成であり、図２のように、消防車１のポンプに接続した吸管２のストレーナー３が取付けられた先端を、例えば、池や川、貯水池、プール等の水源に浸漬させて、消火水を吸引する場合、地面と水源の間にある上下の段差部分によって吸管２に発生する曲がり部分の内側に吸管用枕木１１を配置し、図３のように、この吸管用枕木１１と吸管２をバンド１４で固定し、図４の如く、この吸管用枕木１１を地面と水源の間にある上下段差部分のコーナ（ａ）に当てがい、このコーナ（ａ）にストッパー溝１５を係止することで、吸管２を弧状に誘導して吸管２の曲がり部分が扁平に変形して折れ曲がるのを防止する。
【００２０】
上記吸管用枕木１１は、吸管２に発生する曲がり部分の内側を支持して誘導する状態で、下面に設けたストッパー溝１５が、地面と水源の間にある上下段差部分のコーナ（ａ）に係合しているので、吸管用枕木１１は上下に移動しない固定配置となり、吸管２に振動や長さ方向の脈動が生じても吸管用枕木１１が上下に移動してコーナ（ａ）から外れるようなことがなくなり、吸管２の曲がり部分が扁平に変形して折れ曲がるのを防止することができ、吸管２による吸水を確実に維持することができる。
【図面の簡単な説明】
【００２１】
【図１】（ａ）はこの考案に係る吸管用枕木の斜視図、（ｂ）は同じく吸管用枕木の一部切り欠き側面図
【図２】吸管用枕木の使用状態を示す説明図
【図３】図２の矢印III−IIIでの吸管用枕木と吸管の状態を示す拡大断面図
【図４】この考案に係る吸管用枕木の使用状態を示す縦断側面図
【符号の説明】
【００２２】
１１        吸管用枕木
１２        枕木本体
１３        凹溝
１４        バンド
１５        ストッパー溝
１６        周枠
１７        リブ
１８        バンド帯
１９        環
２０        操作帯
２１        係止環
２２        フック金具
【図１】
0003145675.tif 000003
【図２】
0003145675.tif 000004
【図３】
0003145675.tif 000005
【図４】
0003145675.tif 000006